(57)【要約】【課題】各地域のうち所望の地域と対応するデータ放送用の情報を速やかに出力する。【解決手段】予め設定した複数の地域名のそれぞれと対応するデータ放送用の情報をデコードした上で、これらの情報を地域毎に区分して記憶部１１の第１エリア１１ａ、第２エリア１１ｂ、第３エリア１１ｃおよび第４エリア１１ｄに記憶しておく。そして、ユーザが前述した複数の地域名のうち所望の地域名をリモコン３０を用いて選択すると、データ放送解析部７は、記憶部１１に記憶された該当の地域名と対応するデータ放送用の情報を読み出す。これにより、受信チャンネルのデータ放送用の情報のうちユーザが選択した地域名と対応するデータ放送用の情報を速やかに表示部１２に表示することができる。【選択図】図１
2006311362.tif 000002
【特許請求の範囲】
【請求項１】
データ放送用の情報を含む放送電波を受信選局する受信選局手段と、
この受信選局した放送電波に含まれるデータ放送用の情報のうち予め定めた複数の地域のそれぞれと対応する情報を取得する取得手段と、
この取得した情報を地域毎に区分して記憶する記憶手段と、
前記定めた複数の地域のうち所望の地域の指定を受け付ける入力手段と、
前記記憶手段に記憶された情報のうち前記指定された地域と対応する情報を表示手段に表示させる制御を行なう制御手段と
を備えたことを特徴とするディジタル放送受信装置。
【請求項２】
前記記憶手段は、
前記取得手段により取得した情報のうち前記予め定めた地域のうち複数の地域に共通して対応する情報と各地域に固有の情報とを区分して記憶し、
前記制御手段は、
前記記憶手段に記憶された前記複数の地域に共通して対応する情報のうち前記指定された地域と対応する情報と前記記憶手段に記憶された前記指定された地域に固有の情報とをともに前記表示手段に表示させる制御を行なう
ことを特徴とする請求項１に記載のディジタル放送受信装置。
【請求項３】
前記制御手段は、
前記記憶手段に記憶された情報を前記表示手段に表示させている状態で、前記入力手段が地域の新たな指定を受け付けた際に、この指定された地域と対応する情報のうち前記表示手段に現在表示されている情報との相違部分の更新表示がなされるように制御する
ことを特徴とする請求項１に記載のディジタル放送受信装置。
【請求項４】
前記取得手段が取得した情報のうち、前記予め定めた複数の地域のうちいずれかの地域と対応するデータ放送用の情報が更新された否かを判別する判別手段をさらに備え、
前記制御手段は、
前記いずれかの地域と対応するデータ放送用の情報が更新されたと前記判別手段が判別した場合に、この旨を前記表示手段に表示させる制御を行なう
ことを特徴とする請求項１に記載のディジタル放送受信装置。
【発明の詳細な説明】
【技術分野】
【０００１】
本発明はデータ放送用の情報が含まれる放送電波を受信する機能を有するディジタル放送受信装置に関する。
【背景技術】
【０００２】
従来、例えば地上波ディジタル放送や衛星ディジタル放送などのディジタル方式の放送を受信するディジタル放送受信装置が運用されている。このディジタル放送受信装置では映像情報、音声情報およびデータ放送用の情報などが多重化された放送電波を受信して、この放送電波に含まれる映像情報、音声情報およびデータ放送用の情報を再生する機能を有する（例えば特許文献１参照）。
【特許文献１】特開２００４−１０４４１５号公報
【発明の開示】
【発明が解決しようとする課題】
【０００３】
放送局は１つの地域に特化したデータ放送用の情報、例えば特定の自治体と対応するニュースや天気予報の情報を地域毎に放送することができる。この場合ディジタル放送受信装置では、この受信した情報のうち予め設定した地域名と対応する情報を出力することができる。
【０００４】
このようなディジタル放送受信装置では、ユーザがメニュー画面などを用いて自宅近辺の地域名を指定すれば自宅近辺と対応するデータ放送用の情報を出力することができるし、ユーザが外出先の地域名を前述のように指定すれば、この外出先と対応するデータ放送用の情報を出力することができる。
【０００５】
しかし、このようなディジタル放送受信装置では、地域名の切り替えの操作を行なうたびに、この地域名と対応するデータ放送用の情報のデコード処理を行なった上で出力する。このデコード処理の開始から終了までは多くの時間を必要とする。したがってユーザが地域名の選択を行なった場合に、この地域名と対応するデータ放送用の情報を出力するまでの長い待ち時間が発生してしまう。
【０００６】
そこで本発明の目的は、各地域名のうち所望の地域名と対応するデータ放送用の情報を速やかに出力することが可能になるディジタル放送受信装置を提供することにある。
【課題を解決するための手段】
【０００７】
すなわち本発明に係わるディジタル放送受信装置は、データ放送用の情報を含む放送電波を受信選局し、この受信選局した放送電波に含まれるデータ放送用の情報のうち予め定めた複数の地域のそれぞれと対応する情報を取得し、この取得した情報を地域毎に区分して記憶し、予め定めた複数の地域のうち所望の地域の指定を受け付け、前述のように記憶された情報のうち前述のように指定された地域と対応する情報を表示手段に表示させる制御を行なうことを特徴とする。
【発明の効果】
【０００８】
本発明に係わるディジタル放送受信装置では、データ放送用の情報を含む放送電波を受信選局し、この受信選局した放送電波に含まれるデータ放送用の情報のうち予め定めた複数の地域のそれぞれと対応する情報を取得し、この取得した情報を地域毎に区分して記憶し、予め定めた複数の地域のうち所望の地域の指定を受け付け、前述のように記憶された情報のうち前述のように指定された地域と対応する情報を表示手段に表示させる制御を行なうので、各地域のうち所望の地域と対応するデータ放送用の情報を速やかに出力することができる。
【発明を実施するための最良の形態】
【０００９】
以下図面により本発明の実施形態について説明する。  
（第１の実施形態）
まず本発明の第１の実施形態について説明する。  
図１は本発明の第１の実施形態にしたがったディジタル放送受信装置の構成例を示すブロック図である。  
本発明の第１の実施形態にしたがったディジタル放送受信装置は装置全体の動作を司る制御部１を備える。また、このディジタル放送受信装置はＴＶ（テレビ）アンテナ２、チューナ部３およびデマルチプレクサ部（分離部）４を備える。
【００１０】
チューナ部３はＴＶアンテナ２が受信した地上波ディジタルテレビ放送や衛星ディジタルテレビ放送などのディジタル放送電波から予め選択した放送局の電波を選局する。  
デマルチプレクサ部４はチューナ部３が選局した電波を復調してＴＶ映像信号（映像ストリーム）、ＴＶ音声信号（音声ストリーム）およびデータ放送用の信号（データストリーム）に分離する。
【００１１】
また、本発明の第１の実施形態にしたがったディジタル放送受信装置は映像デコーダ５、音声デコーダ６およびデータ放送解析部７をさらに備える。映像デコーダ５、音声デコーダ６およびデータ放送解析部７はデマルチプレクサ部４と接続される。
【００１２】
映像デコーダ５はデマルチプレクサ部４により分離されたＴＶ映像信号を復号（デコード）して出力する。音声デコーダ６は前述のように分離されたＴＶ音声信号を復号して出力する。データ放送解析部７は前述のように分離されたデータ放送用の信号を復号して出力する。
【００１３】
また、本発明の第１の実施形態にしたがったディジタル放送受信装置はデータ放送用記憶部１１、表示部（モニタ）１２、表示制御部１３および音声出力部（スピーカ）１４をさらに備える。記憶部１１および表示制御部１３はデータ放送解析部７と接続される。
【００１４】
データ放送解析部７がデマルチプレクサ部４から入力したデータ放送用の信号はＢＭＬ（Broadcasting Markup Language）ファイル、バイナリテーブル（Binary Table）ファイルおよび画像ファイルの情報を含む。
【００１５】
バイナリテーブルファイルは表示部１２に表示するためのデータ放送用の文字データを定義する。画像ファイルは表示部１２に表示するデータ放送用の情報の表示画面における画像を示す。
【００１６】
ＢＭＬファイルはバイナリテーブルファイルで定義された文字データの読み出し、表示およびページ更新をスクリプトにより記述する。また、ＢＭＬファイルはバイナリテーブルファイルで定義された文字データの表示位置および画像ファイルで示される画像の表示位置を記述する。表示部１２での表示内容はデータ放送解析部７がＢＭＬファイル、バイナリテーブルファイルおよび画像ファイルをもとに制御する。
【００１７】
表示制御部１３は映像デコーダ５およびデータ放送解析部７と接続される。表示制御部１３は映像デコーダ５から入力した信号およびデータ放送解析部７から入力した信号のうち少なくとも一方を表示部１２に出力する制御を行なう。また、音声デコーダ６が復号した信号は音声出力部１４に出力される。
【００１８】
ディジタル放送受信装置は入力部１５およびリモコン受信部１６をさらに備える。入力部１５およびリモコン受信部１６は制御部１と接続される。入力部１５は各種キーや操作スイッチからなる。入力部１５は装置本体の電源スイッチを含む。リモコン受信部１６はリモコン３０からの赤外線信号を受信する。
【００１９】
記憶部１１はデータ放送解析部７と接続される。データ放送解析部７はデマルチプレクサ部４からの受信チャンネルのデータ放送用の信号のうち予め指定された複数の地域名のそれぞれと対応する情報を全て復号する。データ放送解析部７は、これら復号した情報を前述のように指定された地域名毎に区分して記憶部１１に記憶する。
【００２０】
ここではユーザが指定できる地域名の種類は４種類とする。記憶部１１は第１エリア１１ａ、第２エリア１１ｂ、第３エリア１１ｃおよび第４エリア１１ｄを備える。  
記憶部１１の第１エリア１１ａは受信チャンネルのデータ放送用の情報であって前述した４種類の地域名のうち第１の地域名と対応するデータ放送用の情報を記憶する。第２エリア１１ｂは受信チャンネルのデータ放送用の情報であって前述した４種類の地域名のうち第２の地域名と対応するデータ放送用の情報を記憶する。
【００２１】
記憶部１１の第３エリア１１ｃは受信チャンネルのデータ放送用の情報であって前述した４種類の地域名のうち第３の地域名と対応するデータ放送用の情報を記憶する。第４エリア１１ｄは受信チャンネルのデータ放送用の情報であって前述した４種類の地域名のうち第４の地域名と対応するデータ放送用の情報を記憶する。
【００２２】
図２は本発明の第１の実施形態にしたがったディジタル放送受信装置の操作を行なうためのリモコン３０の外観の一例を示す図である。  
このリモコン３０は発信部３１、電源キー３２、カーソルキー３３、「ｄ」キー（ｄボタン）３４、「画面切替」キー３５、数字キー３６、メニューキー３７、アップダウンキー３８、カラーキー３９および「地域選択」キー４０を備える。
【００２３】
発信部３１は図１に示したリモコン受信部１６との赤外線通信を行なう。電源キー３２は装置の電源をオンオフする為のキーである。カーソルキー３３はスティック状のキーである。カーソルキー３３は上下（前後）左右に傾けることにより４方向のカーソル移動入力となり、スティック自体を押し込むことにより「決定」入力となる。
【００２４】
「ｄ」キー（ｄボタン）３４はデータ放送用の情報の表示のオンオフを設定するためのキーである。「画面切替」キー３５は画面の切り替えを行なう為のキーである。数字キー３６はマトリクス状に並んだキーである。
【００２５】
メニューキー３７はメニュー画面を表示する為のキーである。アップダウンキー３８はアップ、ダウン２つのキーからなる。カラーキー３９は赤、黄、緑、青で色分けされた４つのキーである。「地域選択」キー４０はデータ放送用の情報の表示にかかる地域名を選択する際に操作するキーである。
【００２６】
次に、本発明の第１の実施形態にしたがったディジタル放送受信装置の動作について説明する。  
このディジタル放送受信装置は複数の地域名のうち所望の地域名と対応するデータ放送用の情報を表示部１２に表示する機能を有する。データ放送用の情報とは例えばニュースや天気予報を示す文字情報及び画像情報である。このデータ放送用の情報はＴＶ映像の情報と独立した情報である。
【００２７】
このディジタル放送受信装置は所望の地域名と対応するデータ放送用の情報を表示部１２に表示している場合で、この表示しているデータ放送用の情報と対応する地域名と異なる地域名をユーザが入力部１５やリモコン３０を用いて指定した場合に、この地域名と対応するデータ放送用の情報を現在表示しているデータ放送用の情報に替えて速やかに表示する機能を有する。
【００２８】
まず、ユーザはディジタル放送受信装置の電源をオン状態としている際にリモコン３０の各種キーの所定の操作を経てデータ放送用の情報の表示にかかる地域名の設定用画面Ｇ１を表示部１２に表示させる。図３は本発明の第１の実施形態にしたがったディジタル放送受信装置によるデータ放送と対応する地域名の設定用画面Ｇ１の一例を示す図である。
【００２９】
この設定用画面Ｇ１はデータ放送用の情報の表示にかかる所望の第１の地域名、第２の地域名、第３の地域名および第４の地域名の入力を受け付ける画面である。  
この設定用画面Ｇ１が表示部１２に表示された状態でユーザがリモコン３０の各種キーに対する予め定められた操作を行なって所望の設定対象の地域名の項目（例えば「地域１」）において所望の地域名を入力して画面上のＯＫアイコン４１を選択することでデータ放送用の情報の表示にかかる第１の地域名を設定することができる。全ての地域名の設定が終了したら画面上の完了アイコン４２を選択する。
【００３０】
これと同様の操作を行なうことでデータ放送用の情報の表示にかかる所望の第２の地域名、第３の地域名および第４の地域名を設定することができる。設定用画面Ｇ１において完了アイコン４２が選択されると、制御部１は、これら設定された地域名の情報を記憶部１１に記憶する。
【００３１】
この設定はディジタル放送受信装置の電源がオン状態となっている場合にいつでも行なうことができる。記憶部１１に記憶されたそれぞれの地域名の情報はディジタル放送受信装置の電源をオフ状態とした場合でも保持される。
【００３２】
以下、データ放送用の情報の表示にかかる処理について説明する。まず、入力部１５の電源スイッチまたはリモコン３０の電源キー３２の操作によりディジタル放送受信装置の電源がオン状態となると、制御部１は表示制御部１３が映像デコーダ５からの信号を表示部１２に出力する処理を行なうように制御する。これにより表示部１２は受信チャンネルの映像情報を表示する。
【００３３】
また、制御部１は受信チャンネルのデータ放送用の情報をデータ放送解析部７が地域毎に区分してこれらの情報を記憶部１１の各エリアに記憶するよう制御する。  
具体的には、データ解析部７が復号したデータ放送用の情報には、この情報が対応する地域名の情報を含む。制御部１は区分された情報に含まれる地域名の情報をもとに設定用画面Ｇ１の「地域１」の項目で設定した地域名（東京都○○区）と対応するデータ放送用の情報をデータ放送解析部７が記憶部１１の第１エリア１１ａに記憶するよう制御する。
【００３４】
また、制御部１は前述のように区分された情報のうち設定用画面Ｇ１の「地域２」の項目で設定した地域名（東京都××市）と対応するデータ放送用の情報をデータ放送解析部７が記憶部１１の第２エリア１１ｂに記憶するよう制御する。
【００３５】
また、制御部１は前述のように区分された情報のうち設定用画面Ｇ１の「地域３」の項目で設定した地域名（埼玉県△△市）と対応するデータ放送用の情報をデータ放送解析部７が記憶部１１の第３エリア１１ｃに記憶するよう制御する。
【００３６】
また、制御部１は前述のように区分された情報のうち設定用画面Ｇ１の「地域４」の項目で設定した地域名（神奈川県□□市）と対応するデータ放送用の情報をデータ放送解析部７が記憶部１１の第４エリア１１ｄに記憶するよう制御する。
【００３７】
この状態でユーザがリモコン３０のｄボタン３４を操作すると、制御部１は表示制御部１３が映像デコーダ５からの信号およびデータ放送解析部７からの信号をともに表示部１２に出力する処理を行なうように制御する。この場合データ放送解析部７は記憶部１１の第１エリア１１ａに記憶された情報を読み出す。これにより受信チャンネルのデータ放送用の情報が当該受信チャンネルの映像情報とともに表示部１２に表示される。
【００３８】
図４は本発明の第１の実施形態にしたがったディジタル放送受信装置の表示部１２における映像情報およびデータ放送用の情報の表示例を示す図である。  
図４に示すように、表示部１２では画面Ｇ２と画面Ｇ３がともに表示される。画面Ｇ２は受信チャンネルの映像情報の表示画面である。画面Ｇ３は受信チャンネルのデータ放送用の情報のうち設定用画面Ｇ１の「地域１」の項目で設定した地域名と対応するデータ放送用の情報である。
【００３９】
図５は、本発明の第１の実施形態にしたがったディジタル放送受信装置の表示部１２における映像情報およびデータ放送用の情報の第２の表示例を示す図である。  
図４に示した画面Ｇ２および画面Ｇ３が表示部１２に表示されている状態で、ユーザがリモコン３０の「地域選択」キー４０を操作すると、制御部１はデータ放送解析部７が設定用画面Ｇ１で設定した地域名の情報を記憶部１１から読み出し、この情報をもとに地域選択案内ウインドウＷ１を表示部１２に表示させるよう指示する。
【００４０】
この結果、表示部１２に地域選択案内ウインドウＷ１が表示される。ウインドウＷ１は画面Ｇ２に重ねて表示される。地域選択案内ウインドウＷ１には前述した設定用画面Ｇ１にしたがって設定した地域名の一覧が表示される。地域選択案内ウインドウＷ１にはこれらの地域名のうち所望の地域名の選択を促すメッセージ（例：地域を選択してください）も表示される。地域選択案内ウインドウＷ１に表示される地域名と併記される数字はリモコン３０の数字キー３６のうちユーザの所望の地域名の選択のために操作するキーの種別と対応する。
【００４１】
つまり表示部１２に地域選択案内ウインドウＷ１が表示された状態でユーザがリモコン３０の数字キー３６のうち“２”と書かれたキーを操作すると、制御部１はデータ放送解析部７が記憶部１１の第２エリア１１ｂに記憶される情報を読み出すよう制御する。
【００４２】
図６は、本発明の第１の実施形態にしたがったディジタル放送受信装置の表示部１２における映像情報およびデータ放送用の情報の第３の表示例を示す図である。  
データ放送解析部７は記憶部１１の第２エリア１１ｂから読み出した情報をもとに表示部１２に表示されるデータ放送用の情報が前述した設定用画面Ｇ１の「地域２」の項目で設定した地域名と対応するデータ放送用の情報に更新されるよう制御する。
【００４３】
すると表示部１２に表示されていた画面Ｇ３（図４，５参照）が図６に示した画面Ｇ４に切り替わる。この画面Ｇ４では設定用画面Ｇ１の「地域２」の項目で設定した地域名と対応するデータ放送用の情報を表示される。
【００４４】
また、表示部１２に地域選択案内ウインドウＷ１が表示された状態でユーザがリモコン３０の数字キー３６のうち“３”と書かれたキーを操作すると、制御部１はデータ放送解析部７が記憶部１１の第３エリア１１ｃに記憶される情報を読み出すよう制御する。
【００４５】
データ放送解析部７は記憶部１１の第３エリア１１ｃから読み出した情報をもとに表示部１２に表示されるデータ放送用の情報が前述した設定用画面Ｇ１の「地域３」の項目で設定した地域名と対応するデータ放送用の情報に更新されるよう制御する。
【００４６】
また、表示部１２に地域選択案内ウインドウＷ１が表示された状態でユーザがリモコン３０の数字キー３６のうち“４”と書かれたキーを操作すると、制御部１はデータ放送解析部７が記憶部１１の第４エリア１１ｄに記憶される情報を読み出すよう制御する。
【００４７】
データ放送解析部７は記憶部１１の第４エリア１１ｄから読み出した情報をもとに表示部１２に表示されるデータ放送用の情報が前述した設定用画面Ｇ１の「地域４」の項目で設定した地域名と対応するデータ放送用の情報に更新されるよう制御する。
【００４８】
以上のように、本発明の第１の実施形態にしたがったディジタル放送受信装置は予め設定された複数の地域名のそれぞれと対応するデータ放送用の情報を記憶部１１に記憶しておく。そしてユーザが前述した複数の地域名のうち所望の地域名をリモコン３０を用いて選択すると記憶部１１に記憶された該当の地域名と対応するデータ放送用の情報が読み出されて表示部１２に表示される。
【００４９】
よって表示部１２に表示されるデータ放送用の情報を異なる地域名と対応するデータ放送用の情報に切り替えるにあたり、この情報のデコード処理のための待ち時間を考慮する必要がなくなる。したがって各地域名のうち所望の地域名と対応するデータ放送用の情報を速やかに出力することができる。
【００５０】
以上説明した実施形態では受信チャンネルの映像情報とデータ放送用の情報を表示部１２にともに表示する構成としたが、これに限らず受信チャンネルがデータ放送専用チャンネルである場合などにデータ放送用の情報のみを表示部１２に表示する構成であってもよい。
【００５１】
また、以上説明した実施形態ではデータ放送用の情報と対応する地域名を選択するにあたりリモコン３０の「地域選択」キー４０および数字キー３６を操作すると説明した。しかし設定用画面Ｇ１の「地域１」の項目で設定した地域名の選択のための専用キー、「地域２」の項目で設定した地域名の選択のための専用キー、「地域３」の項目で設定した地域名の選択のための専用キーおよび「地域４」の項目で設定した地域名の選択のための専用キーをリモコン３０にそれぞれ設けてもよい。
【００５２】
この場合には、これらの専用キーのうち所望の地域名と対応するキーをユーザが選択することで当該選択した地域名と対応するデータ放送用の情報が表示部１２に表示される。これによりデータ放送用の情報の更新のためのキー操作が１度で済む。
【００５３】
（第２の実施形態）
次に本発明の第２の実施形態について説明する。なお本実施形態に係るディジタル放送受信装置の構成は図１に示したものと基本的にほぼ同様であるので同一部分の説明は省略する。  
図７は本発明の第２の実施形態にしたがったディジタル放送受信装置の構成例を示すブロック図である。  
図７に示すように本発明の第２の実施形態にしたがったディジタル放送受信装置の記憶部１１は共通エリア１１ｅをさらに備える。
【００５４】
本発明の第２の実施形態にしたがったディジタル放送受信装置では受信チャンネルの各地域と対応するデータ放送用の情報のうち単一の地域に固有の情報に関しては第１エリア１１ａ、第２エリア１１ｂ、第３エリア１１ｃおよび第４エリア１１ｄにそれぞれ記憶し、複数の地域に共通する情報に関しては共通エリア１１ｅに記憶する機能を有する。これにより記憶部１１の容量を節約することができる。
【００５５】
本発明の第２の実施形態にしたがったディジタル放送受信装置の制御部１は受信チャンネルのデータ放送用の情報を当該情報が対応する地域名毎にデータ放送解析部７が区分するよう制御する。制御部１は、このように区分された情報のうち設定用画面Ｇ１の「地域１」の項目で設定した地域名（東京都○○区）に固有の情報をデータ放送解析部７が記憶部１１の第１エリア１１ａに記憶するよう制御する。
【００５６】
また、制御部１は前述のように区分されたデータ放送用の情報のうち設定用画面Ｇ１の「地域２」の項目で設定した地域名（東京都××市）に固有の情報をデータ放送解析部７が記憶部１１の第２エリア１１ｂに記憶するよう制御する。
【００５７】
また、制御部１は前述のように区分されたデータ放送用の情報のうち設定用画面Ｇ１の「地域３」の項目で設定した地域名（埼玉県△△市）に固有の情報をデータ放送解析部７が記憶部１１の第３エリア１１ｃに記憶するよう制御する。
【００５８】
また、制御部１は前述のように区分されたデータ放送用の情報のうち設定用画面Ｇ１の「地域４」の項目で設定した地域名（神奈川県□□市）に固有の情報をデータ放送解析部７が記憶部１１の第４エリア１１ｄに記憶するよう制御する。
【００５９】
そして、制御部１は前述のように区分されたデータ放送用の情報のうち設定用画面Ｇ１で設定した複数の地域に共通する情報をデータ放送解析部７が記憶部１１の共通エリア１１ｅに記憶するよう制御する。
【００６０】
データ放送解析部７が記憶部１１の共通エリア１１ｅに記憶する情報は前述した４つの地域の全てに共通する情報のみであってもよいし２つ以上の地域に共通する情報であってもよい。例えば受信チャンネルのデータ放送用の情報が地域別の天気予報であった場合には天気マークなどを示す画像ファイルが各地域に共通の情報となる。
【００６１】
図８は本発明の第２の実施形態にしたがったディジタル放送受信装置の記憶部１１に記憶される共通ファイル管理テーブルの一例を表形式で示す図である。  
データ放送解析部７は共通エリア１１ｅに情報を記憶する際に図８に示したような共通ファイル管理テーブルを作成して、これを記憶部１１に記憶する。
【００６２】
この共通ファイル管理テーブルではデータ放送解析部７が記憶部１１の共通エリア１１ｅに記憶した各種画像ファイルのファイル名、当該画像ファイルの共通エリア１１ｅでの記憶箇所のアドレスおよび当該画像ファイルの設定用画面Ｇ１で設定した各地域名との対応の有無を示す情報が関連付けられる。
【００６３】
図８に示した共通ファイル管理テーブルで管理される“sun.png”は天気の“晴れ”を示す画像ファイル名である。図８に示したテーブル中の“cloudy.png”は天気の“曇り”を示す画像ファイル名である。図８に示したテーブル中の“rain.png”は天気の“雨”を示す画像ファイル名である。
【００６４】
図８に示したテーブルは天気の“晴れ”を示す画像ファイルは設定用画面Ｇ１の「地域１」の項目で設定した地域名、「地域２」の項目で設定した地域名、「地域３」の項目で設定した地域名および「地域４」の項目で設定した地域名に共通するデータ放送用の情報であることを示す。
【００６５】
また、図８に示したテーブルは天気の“曇り”を示す画像ファイルは設定用画面Ｇ１の「地域１」の項目で設定した地域名、「地域２」の項目で設定した地域名および「地域４」の項目で設定した地域名に共通するデータ放送用の情報であることを示す。
【００６６】
また、図８に示したテーブルは天気の“雨”を示す画像ファイルは設定用画面Ｇ１の「地域１」の項目で設定した地域名および「地域２」の項目で設定した地域名に共通するデータ放送用の情報であることを示す。
【００６７】
具体的には表示部１２に画面Ｇ２（図５参照）が表示されている状態で、この画面Ｇ２上に地域選択ウインドウＷ１が表示された状態でユーザがリモコン３０の数字キー３６のうち“１”と書かれたキーを操作すると制御部１はデータ放送解析部７が記憶部１１の第１エリア１１ａに記憶される情報を読み出すよう制御する。これらの情報は設定用画面Ｇ１の「地域１」の項目で設定した地域名と対応するデータ放送用の情報のうちＢＭＬファイルおよびバイナリテーブルファイルである。
【００６８】
データ放送解析部７は記憶部１１の第１エリア１１ａに記憶される情報を読み出すとデ記憶部１１に記憶される共通ファイル管理テーブルを読み出す。データ放送解析部７は、この読み出した共通ファイル管理テーブルにおいて設定用画面Ｇ１の「地域１」の項目で設定した地域名と対応する画像ファイルを共通エリア１１ｅから読み出す。
【００６９】
ここでデータ放送解析部７が共通エリア１１ｅから読み出した画像ファイルは天気の“晴れ”を示す画像ファイル（ファイル名“sun.png”）、天気の“曇り”を示す画像ファイル（ファイル名“cloudy.png”）および天気の“雨”を示す画像ファイル（ファイル名“rain.png”）である。
【００７０】
これにより受信チャンネルのデータ放送用の情報のうち設定用画面Ｇ１の「地域１」の項目で設定した地域名と対応するデータ放送用の情報が受信チャンネルの映像情報とともに表示部１２に表示される。
【００７１】
図９は、本発明の第２の実施形態にしたがったディジタル放送受信装置の表示部１２における映像情報およびデータ放送用の情報の表示例を示す図である。  
図９に示した画面Ｇ５は設定用画面Ｇ１の「地域１」の項目で設定した地域名と対応する天気予報を表示する画面である。画面Ｇ５での表示内容はデータ放送解析部７が記憶部１１の第１エリア１１ａから読み出したＢＭＬファイル、天気予報の文字データを定義するバイナリテーブルファイルおよびデータ放送解析部７が記憶部１１の共通エリア１１ｅから読み出した各種画像ファイルをもとにデータ放送解析部７が制御する。
【００７２】
図９に示した画像５１は天気の“晴れ”を示す画像である。図９に示した画像５２は天気の“曇り”を示す画像である。図９に示した画像５３は天気の“雨”を示す画像である。
【００７３】
以上説明したように、本発明の第２の実施形態にしたがったディジタル放送受信装置は予め設定した複数の地域名のそれぞれと対応するデータ放送用の情報を記憶部１１に記憶する際に設定用画面Ｇ１で設定した複数の地域名に共通するデータ放送用の情報を共通エリア１１ｅに記憶する。
【００７４】
そしてユーザが前述した複数の地域名のうち所望の地域名をリモコン３０を用いて選択すると該当の地域名に固有のデータ放送用の情報が記憶部１１から読み出され、該当の地域名と対応するデータ放送用の情報のうち複数の地域名に共通と対応するデータ放送用の情報が記憶部１１の共通エリア１１ｅから読み出されて表示部１２に表示される。よって記憶部１１の容量を節約することができる。
【００７５】
（第３の実施形態）
次に本発明の第３の実施形態について説明する。なお本実施形態に係るディジタル放送受信装置の構成は図１に示したものと基本的にほぼ同様であるので、その説明は省略する。
【００７６】
本発明の第３の実施形態にしたがったディジタル放送受信装置は新たな地域名の指定をリモコン３０の操作により受けた際に、この新たに指定された地域名と対応する情報のうち表示部１２に現在表示されている情報との相違部分のみの更新表示を行なう機能を有する。
【００７７】
具体的にはデータ放送解析部７は現在表示部１２に表示させているデータ放送用の情報を記憶部１１に常に保持する。  
データ放送解析部７は新たに指定された地域名と対応するデータ放送用の情報を記憶部１１の第１エリア１１ａ、第２エリア１１ｂ、第３エリア１１ｃおよび第４エリア１１ｄのいずれかから読み出した際に現在表示部１２に表示させているデータ放送用の情報を記憶部１１から読み出す。データ放送解析部７は、これら読み出した情報のＢＭＬファイルおよびバイナリテーブルファイル同士を比較する。
【００７８】
データ放送解析部７は、この比較を行なうことで、新たに指定された地域名と対応するデータ放送用の情報のうち現在表示部１２に表示させているデータ放送用の情報との表示内容や表示位置の相違部分と、この相違部分の表示部１２における表示位置を判別する。データ放送解析部７は、この判別した情報をもとに表示部１２に表示される画面のうち前述した相違部分のみを更新させる制御を行なう。
【００７９】
これにより新たに指定された地域名と対応する情報のうち表示部１２に現在表示されている情報との相違部分のみの更新表示がなされるようになる。よってデータ放送用の情報の更新表示にかかる待ち時間が短縮される。
【００８０】
（第４の実施形態）
次に本発明の第４の実施形態について説明する。なお本実施形態に係るディジタル放送受信装置の構成は図１に示したものと基本的にほぼ同様であるので、その説明は省略する。
【００８１】
本発明の第４の実施形態にしたがったディジタル放送受信装置は設定用画面Ｇ１（図３参照）で設定した地域名のうちいずれかと対応するデータ放送用の情報が更新された場合に、この旨を示すメッセージを表示部１２に表示する機能を有する。ただし表示部１２に現在表示中のデータ放送用の情報自体が更新された場合には、この更新を示すメッセージは表示しない。
【００８２】
具体的にはデータ放送解析部７は受信チャンネルのデータ放送用の情報のうち設定用画面Ｇ１で設定した地域名のいずれかと対応するデータ放送用の情報が更新されたか否かを監視している。
【００８３】
またデータ放送解析部７は現在表示部１２に表示しているデータ放送用の情報と対応する地域名の情報を記憶部１１に記憶する。ここでは現在表示部１２に表示しているデータ放送用の情報と対応する地域名は設定用画面Ｇ１の「地域１」の項目で設定した地域名（東京都○○区）であると仮定する。
【００８４】
データ放送解析部７は前述した監視の結果設定用画面Ｇ１で設定した地域名のうち「地域１」以外の項目で設定した地域名のいずれかと対応するデータ放送用の情報が更新された場合には、この更新された情報と対応する地域名を判別する。データ放送解析部７はこの判別した情報をもとに表示部１２に表示される画面の一部に更新を示すメッセージを表示させる制御を行なう。ここでは更新されたデータ放送用の情報と対応する地域名は設定用画面Ｇ１の「地域２」の項目で設定した地域名（東京都××市）であると仮定する。
【００８５】
図１０は、本発明の第４の実施形態にしたがったディジタル放送受信装置の表示部１２における映像情報およびデータ放送用の情報の表示例を示す図である。  
図１０に示した画面Ｇ３は設定用画面Ｇ１の「地域１」の項目で設定した地域名と対応するニュースを表示する画面である。画面Ｇ２上に表示される更新通知ウインドウＷ２は、設定用画面Ｇ１の「地域２」の項目で設定した地域名と対応するデータ放送用の情報が更新された旨を示すメッセージである。
【００８６】
以上説明したように本発明の第４の実施形態にしたがったディジタル放送受信装置は受信チャンネルのデータ放送用の情報のうち予め設定した複数の地域名のうち何れかの地域名と対応するデータ放送用の情報が更新された場合に、この旨を示すメッセージが表示部１２に表示される。よってユーザは設定用画面Ｇ１で設定した地域名のいずれかと対応するデータ放送用の情報が更新された場合にこれを容易に把握することができる。
【００８７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８８】
【図１】本発明の第１の実施形態にしたがったディジタル放送受信装置の構成例を示すブロック図。
【図２】本発明の第１の実施形態にしたがったディジタル放送受信装置の操作を行なうためのリモコン３０の外観の一例を示す図。
【図３】本発明の第１の実施形態にしたがったディジタル放送受信装置によるデータ放送にかかる地域の設定用画面Ｇ１の一例を示す図。
【図４】本発明の第１の実施形態にしたがったディジタル放送受信装置の表示部１２における映像情報およびデータ放送用の情報の表示例を示す図。
【図５】本発明の第１の実施形態にしたがったディジタル放送受信装置の表示部１２における映像情報およびデータ放送用の情報の第２の表示例を示す図。
【図６】本発明の第１の実施形態にしたがったディジタル放送受信装置の表示部１２における映像情報およびデータ放送用の情報の第３の表示例を示す図。
【図７】本発明の第２の実施形態にしたがったディジタル放送受信装置の構成例を示すブロック図。
【図８】本発明の第２の実施形態にしたがったディジタル放送受信装置の記憶部１１に記憶される共通ファイル管理テーブルの一例を表形式で示す図。
【図９】本発明の第２の実施形態にしたがったディジタル放送受信装置の表示部１２における映像情報およびデータ放送用の情報の表示例を示す図。
【図１０】本発明の第４の実施形態にしたがったディジタル放送受信装置の表示部１２における映像情報およびデータ放送用の情報の表示例を示す図。
【符号の説明】
【００８９】
１…制御部、２…ＴＶアンテナ、３…チューナ部、４…デマルチプレクサ部（分離部）、５…映像デコーダ、６…音声デコーダ、７…データ放送解析部、１１…データ放送用記憶部、１１ａ…第１エリア、１１ｂ…第２エリア、１１ｃ…第３エリア、１１ｄ…第４エリア、１１ｅ…共通エリア、１２…表示部、１３…表示制御部、１４…音声出力部、１５…入力部、１６…リモコン受信部、３０…リモコン、３１…発信部、３２…電源キー、３３…カーソルキー、３４…「ｄ」キー（ｄボタン）、３５…「画面切替」キー、３６…数字キー、３７…メニューキー、３８…アップダウンキー、３９…カラーキー、４０…「地域選択」キー、４１…ＯＫアイコン、４２…完了アイコン。
【図１】
2006311362.tif 000003
【図２】
2006311362.tif 000004
【図３】
2006311362.tif 000005
【図４】
2006311362.tif 000006
【図５】
2006311362.tif 000007
【図６】
2006311362.tif 000008
【図７】
2006311362.tif 000009
【図８】
2006311362.tif 000010
【図９】
2006311362.tif 000011
【図１０】
2006311362.tif 000012